【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
第１のデジタルビットシーケンスを有する電磁気の第１の送信された信号をアンテナから送信する工程；
ターゲットオブジェクトから反射される電磁気の第１の送信された信号の第１エコーを第１のデジタル化されたエコー信号に変換する工程であって、第１のデジタル化されたエコー信号がデジタルビットの第２のデジタルビットシーケンスを表わす、工程；
デジタルビットの第２シーケンスを、第１のデジタル化されたエコー信号の同相（Ｉ）の成分の１つ以上のサブセットに一致させることによって、第１のデジタル化されたエコー信号の同相（Ｉ）の成分の１つ以上のサブセットに対する１つ以上の第１相関値を計算する工程；
デジタルビットの第２シーケンスを、第１のデジタル化されたエコー信号の直角位相（Ｑ）の成分の１つ以上のサブセットに一致させることによって、第１のデジタル化されたエコー信号の直角位相（Ｑ）の成分の１つ以上のサブセットに対する１つ以上の第２相関値を計算する工程；
電磁気の第１の送信された信号の送信と、第１のデジタル化されたエコー信号のＩの成分のサブセットの少なくとも１つの発生との間の第１の時間遅延を計算することによって、及び、電磁気の第１の送信された信号の送信と、第１のデジタル化されたエコー信号のＱの成分のサブセットの少なくとも１つの発生との間の第２の時間遅延を計算することによって、第１の送信された信号と第１のエコーのフライトの時間を決定する工程、
を含む方法。
【請求項２】
フライトの時間に基づいてターゲットオブジェクトに対する分離距離を計算する工程をさらに含むことを特徴とする、請求項１に記載の方法。
【請求項３】
電磁気の第１の送信された信号を形成するために、発振信号を生成し、発振信号の少なくとも第１の部分を第１のデジタルビットシーケンスと混合する工程をさらに含むことを特徴とする、請求項１に記載の方法。
【請求項４】
第１エコーを第１のデジタル化されたエコー信号に変換する工程は、発振信号の少なくとも第２の部分を、ターゲットオブジェクトから受信された第１エコーに基づくエコー信号と混合する工程を含むことを特徴とする、請求項３に記載の方法。
【請求項５】
フライトの時間を決定する工程は、第１のデジタルビットシーケンスの様々なサブセットに対する相関値を計算する工程を含むことを特徴とする、請求項１に記載の方法。
【請求項６】
相関値は、第２のデジタルビットシーケンスを第１のデジタルビットシーケンスの様々なサブセットに一致させることによって、計算されることを特徴とする、請求項５に記載の方法。
【請求項７】
相関値は、第２のデジタルビットシーケンスと、第１のデジタルビットシーケンスの様々なサブセットとの間の一致の程度を表わすことを特徴とする、請求項６に記載の方法。
【請求項８】
第３のデジタルビットシーケンスを有する電磁気の第２の送信された信号を送信する工程；
ターゲットオブジェクトから反射される電磁気の第２の送信された信号の第２エコーを、第４のデジタルビットシーケンスを表わす第２のデジタル化されたエコー信号に変換する工程；および、
第４のデジタルビットシーケンスを第３のデジタルビットシーケンスと比較することによって、時間の遅れを決定する工程、
をさらに含むことを特徴とする、請求項１に記載の方法。
【請求項９】
時間の遅れをフライトの時間に加えることによって、フライトの時間を修正する工程をさらに含むことを特徴とする、請求項８に記載の方法。
【請求項１０】
レーダーシステムであって、
該レーダーシステムは、
アンテナによってターゲットオブジェクトへと送信される第１のデジタルビットシーケンスを有する電磁気の第１の送信された信号を形成するように構成された送信機であって、前記アンテナが電磁気の第１の送信された信号の第１エコーを受け取るようにも構成された、送信機；
電磁気の第１の送信された信号の第１エコーを、デジタルビットの第２のデジタルビットシーケンスを表わす第１のデジタル化されたエコー信号に変換するように構成された受信機；
デジタルビットの第２シーケンスを、第１のデジタル化されたエコー信号の同相（Ｉ）の成分の１つ以上のサブセットに一致させることによって、第１のデジタル化されたエコー信号の同相（Ｉ）の成分の１つ以上のサブセットに対する１つ以上の第１相関値を計算するように構成された相関装置であって、デジタルビットの第２シーケンスを、第１のデジタル化されたエコー信号の直角位相（Ｑ）の成分の１つ以上のサブセットに一致させることによって、第１のデジタル化されたエコー信号の直角位相（Ｑ）の成分の１つ以上のサブセットに対する１つ以上の第２相関値を計算するようにも構成された、相関装置、
を含み、
相関装置はさらに、電磁気の第１の送信された信号の送信と、第１のデジタル化されたエコー信号のＩの成分のサブセットの少なくとも１つの発生との間の第１の時間遅延を計算することによって、及び、電磁気の第１の送信された信号の送信と、第１のデジタル化されたエコー信号のＱの成分のサブセットの少なくとも１つの発生との間の第２の時間遅延を計算することによって、電磁気の第１の送信された信号と第１のエコーのフライトの時間を決定するように構成されることを特徴とする、レーダーシステム。
【請求項１１】
相関装置はさらに、フライトの時間に基づいてターゲットオブジェクトに対する分離距離を計算するように構成されることを特徴とする、請求項１０に記載のレーダーシステム。
【請求項１２】
送信機は、電磁気の第１の送信された信号を形成するために、発振信号を生成し、発振信号の少なくとも第１の部分を第１のデジタルビットシーケンスと混合するように構成されることを特徴とする、請求項１０に記載のレーダーシステム。
【請求項１３】
第１エコーを第１のデジタル化されたエコー信号に変換する工程は、発振信号の少なくとも第２の部分を、ターゲットオブジェクトから受信された第１エコーに基づくエコー信号と混合する工程を含むことを特徴とする、請求項１２に記載のレーダーシステム。
【請求項１４】
相関装置は、第１のデジタルビットシーケンスの様々なサブセットに対する相関値を計算することによって、フライトの時間を決定するように構成されることを特徴とする、請求項１０に記載のレーダーシステム。
【請求項１５】
相関値は、第２のデジタルビットシーケンスを第１のデジタルビットシーケンスの様々なサブセットに一致させる相関装置によって計算されることを特徴とする、請求項１４に記載のレーダーシステム。
【請求項１６】
相関値は、第２のデジタルビットシーケンスと第１のデジタルビットシーケンスの様々なサブセットとの間の一致の程度を表わすことを特徴とする、請求項１６に記載のレーダーシステム。
【請求項１７】
送信機は、アンテナによる送信のために第３のデジタルビットシーケンスを有する電磁気の第２の送信された信号を形成するように構成され、
受信機は、ターゲットオブジェクトから反射される電磁気の第２の送信された信号の第２エコーを、第４のデジタルビットシーケンスを表わす第２のデジタル化されたエコー信号に変換するように構成され、
相関装置は、第４のデジタルビットシーケンスを第３のデジタルビットシーケンスと比較することによって、時間の遅れを決定するように構成されることを特徴とする、請求項１０に記載のレーダーシステム。
【請求項１８】
相関装置は、時間の遅れをフライトの時間に加えることによって、フライトの時間を修正するように構成されることを特徴とする、請求項１７に記載のレーダーシステム。
【請求項１９】
発振信号を生成するように構成された発振装置と、
分離距離によって送信アンテナから分離されるターゲットオブジェクトへ送信アンテナから通信される電磁気の第１の送信された信号を生成するように構成された送信機であって、該送信機が電磁気の第１の送信された信号を形成するために発振信号を第１送信パターンと混合するように構成され、電磁気の第１の送信された信号がデジタルビットのシーケンスを表わす第１送信パターンを含む、送信機と、
ターゲットオブジェクトから反射される電磁気の第１の送信された信号のエコーに基づいて生成されるエコー信号に、発振信号を混合するように構成された受信機であって、該受信機がエコー信号と混合された発振信号を用いて第１のデジタル化されたエコー信号を作成するように構成された、受信機と、
電磁気の第１の送信された信号とエコーのフライトの時間を決定するために、デジタルビットの第２シーケンスを表わす第１受信パターンを、第１のデジタル化されたエコー信号と比較するように構成された、相関装置と
を含む、システム。
【請求項２０】
相関装置は、サブセットに対する相関値を計算するために、第１受信パターンのデジタルビットのシーケンスを、第１のデジタル化されたエコー信号のサブセットと比較するように構成され、該相関値は、第１受信パターンと第１のデジタル化されたエコー信号のデジタルビットとの間の一致の程度を表わすことを特徴とする、請求項１９に記載のシステム。